(57)【要約】【課題】連動ベルトが垂れ下がった場合でも、連動ベルトが連動プーリから外れることのない連動装置を有する引戸装置を提供すること。【解決手段】前扉４と後扉５に分割し、後扉４に配設した前後の連動プーリ１１ａ、１１ｂに連動ベルト１２を掛架し、連動ベルト１２の前連動プーリ１１ａに掛架した一端側適所を前扉４に接合金具１４で固定するとともに、他端側適所を引戸枠部材２に固定金具１３によって固定し、前扉４と後扉５を連動して開閉させるようにした２連式引戸装置１において、前後の連動プーリ１１ａ、１１ｂ及び連動条体１２を、後扉５の側面と平行な面内に配設する。【選択図】図１
2007107260.tif 000002
【特許請求の範囲】
【請求項１】
前扉と後扉に分割し、後扉に配設した前後の連動プーリに連動条体を係回し、連動条体の前連動プーリに係回した一端側適所を前扉に接合金具で固定するとともに、他端側適所を引戸枠部材に固定金具によって固定し、前扉と後扉を連動して開閉させるようにした２連式引戸装置において、前後の連動プーリ及び連動条体を、後扉の側面と平行な面内に配設したことを特徴とする引戸装置。
【請求項２】
連動プーリの回動軸を、戸車の回動軸を延設して共用することを特徴とする請求項１記載の引戸装置。
【請求項３】
固定金具を、戸袋入口の方立に取り付けることを特徴とする請求項１又は２記載の引戸装置。
【発明の詳細な説明】
【技術分野】
【０００１】
本発明は、引戸装置に関し、特に、前扉と後扉に分割して構成した２連式引戸装置の連動装置に関するものである。
【背景技術】
【０００２】
従来、２連式引戸装置５０の連動装置６０としては、図５に示すように、前扉５１と後扉５２とを関連して移行させるもので、両扉の最上端に配置されている。
この連動装置６０は、前扉５１の移行距離に対して後扉５２の移行距離が１／２となるようにしたもので、図例では前後の連動プーリ６１、６２とこの両プーリに係回される連動条体６３とにより構成するようにしている。すなわち、後扉５２の上部に所要長さの支持腕６４を取り付け、その前後両端にプーリ６１、６２を配設し、これに連動条体６３を係回し、前扉５１の閉塞位置において該前扉５１に配設した取付金具６５により連動条体６３の可及的に前方で連結し、係回した連動条体６３の前記取付金具６５による連結側と反対側適所で固定金具６６により引戸枠部材２に固着する。
【０００３】
しかして、前扉５１を閉塞位置から手動で開放位置に移行するときは、連動条体６３もこれに追随して移行し、該連動条体６３の一部を引戸枠部材２に固着したことにより、前後の連動プーリ６１、６２も移行する。連動装置６０による前後の扉の移行距離関係を図６に示す。図において（ａ）は引戸の閉塞状態を、また（ｂ）は、引戸の開放状態を示す。前扉５１の閉鎖から開放までの移行距離をＬ１とし、後扉５２のその間の移行距離をＬ２とすると、両者間の移行距離の差は、連動条体６３とこれを係回する連動プーリ６１、６２との関係から、後扉５２の移行距離Ｌ２は、前扉５１の移行距離Ｌ１の１／２となる。すなわち、前扉５１の閉塞位置から開放位置までの移行距離Ｌ１に対して、後扉５２の閉塞位置から開放位置までの移行距離Ｌ２を１／２とすることにより、前扉５１の開閉に追随して後扉５２の開閉を確実に行うことができるものである（例えば、特許文献１、２参照）。
【０００４】
しかし、上記構成による連動装置６０は、前後の連動プーリ６１、６２が引戸扉の上部平面に配設されているため、連動条体６３に弛みが発生した場合、連動条体６３が連動プーリ６１、６２から外れ、前扉５１と後扉５２とを連動することができなくなるという問題があった。
【特許文献１】特許第３５３６２００号公報
【特許文献２】実開平２−６４６８４号公報
【発明の開示】
【発明が解決しようとする課題】
【０００５】
本発明は、上記従来の引戸装置に使用する連動装置の有する問題点に鑑み、連動条体が垂れ下がった場合でも、連動条体が連動プーリから外れることのない連動装置を有する引戸装置を提供することを目的とする。
【課題を解決するための手段】
【０００６】
上記目的を達成するため、本発明の引戸装置は、前扉と後扉に分割し、後扉に配設した前後の連動プーリに連動条体を係回し、連動条体の前連動プーリに係回した一端側適所を前扉に接合金具で固定するとともに、他端側適所を引戸枠部材に固定金具によって固定し、前扉と後扉を連動して開閉させるようにした２連式引戸装置において、前後の連動プーリ及び連動条体を、後扉の側面と平行な面内に配設したことを特徴とする。
【０００７】
この場合において、連動プーリの回動軸を、戸車の回動軸を延設して共用することができる。
【０００８】
さらに、これらの場合において、固定金具を、戸袋入口の方立に取り付けることができる。
【発明の効果】
【０００９】
本発明の引戸装置によれば前後の連動プーリ及び連動条体を、後扉の側面と平行な面内に配設するから、連動条体の重力による垂れ下がりや、経年変化による弛みによっても連動条体が連動プーリから外れることのなく、連動条体に一定の張力を付与するための張力装置を配設する必要のない引戸装置を提供することができる。
【００１０】
また、連動プーリの回動軸を、後扉の前後の戸車の回動軸を延設して共用するときは、部品点数を軽減することができ、さらに連動プーリ自体を戸車と同一の部品を利用することによって、さらに部品の共通化をすることができ、装置全体のコストダウンを図ることができる。
【００１１】
また、連動条体を引戸枠部材に固定するための固定金具を、戸袋入口の方立に取り付けるときは、組立作業を簡単に行うことができるとともに、連動条体の取替作業も容易に行うことができる。
【発明を実施するための最良の形態】
【００１２】
以下、本発明の引戸装置の組立方法の実施の形態を、図面に基づいて説明する。
【実施例１】
【００１３】
図１〜図４に、本発明の引戸装置の一実施例を示す。図において、ａは、点検窓ラインを、ｂは、方立ラインを示す。
この引戸装置１は、引戸枠部材２と、該枠部材２の一側に形成された戸袋３と、該戸袋３に収納される後扉５と、その後扉５内に収納される前扉４と、前扉４と後扉５に配設する前後の戸車４ａ、４ｂ、５ａ、５ｂを載置する走行用レール６とより構成される。
なお、図例においては、引戸開放時に前扉４が後扉５内に収納される収納型引戸装置を示すが、前扉４が後扉５内に収納されることのない２連式の引戸装置にも応用することができる。
【００１４】
後扉５の上骨５ｃには、上面に前扉４の後戸車用ブラケット７ｂの通過を許容するスリットＮを設けるとともに、その側面戸先側に前扉４の戸尻側に配設したフランジ９と前記後戸車用ブラケット７ｂとを固着手段Ｂ（六角穴付きボルト等が好ましい）を用いて固着する際に工具の進入を許容するための開口部分Ｍを設けるようにしている。
スリットＮの幅は、図２に示すように、後戸車用ブラケット７ｂの幅よりも大きく、その長さは、後扉への前扉の収納長さ及び前後の扉幅より適宜決定される。
また、後扉５の上骨５ｃ上面には、走行用レール６に載置する前後の戸車を回動自在に配設するブラケット８ａ、８ｂを前後に取り付ける。
【００１５】
前扉４には、その戸先側に走行用レール６に載置する前戸車を回動自在に配設するブラケット７ａと、戸尻側に後戸車用ブラケット７ｂを固定するためのフランジ９を配設する。フランジ９には、後戸車用ブラケット７ｂをボルトなどの固着手段Ｂによって固着するためのねじ穴９ａを穿孔する。
【００１６】
そして、前扉４と後扉５との連動装置１０は、後扉５の前戸車用ブラケット８ａと後戸車用ブラケット８ｂに回動自在に取り付けた連動プーリ１１ａ、１１ｂに連動条体となる連動ベルト１２を係回して構成する。前後の連動プーリ１１ａ、１１ｂの回動軸１５は、後扉５の前後のブラケット８ａ、８ｂに回動自在に配設される戸車５ａ、５ｂの回動軸を延設して共用するようにしている。
この場合、回動軸２５に対し、戸車５ａ、５ｂ及び、連動プーリ２１ａ、２１ｂは、個別の軸受（図示せず）で回動支持されているので、連動装置２０の作動と後扉５の走行とには何ら支障を生じることはない。
なお、本実施例では、連動プーリ１１ａ、１１ｂを、前扉４及び後扉５を走行させる戸車と同形状の、同径のものを使用し、図に示すように両フランジ付きプーリとするときは、連動ベルト１２が平ベルトであっても横ずれによる外れを防止することができる。
さらに、連動プーリをＶプーリとたり、連動ベルトに代えてワイヤ等の索条体を用いても同様の効果を奏するものである。
【００１７】
連動ベルト１２は、固定金具１３によって引戸枠部材２に固定するとともに、接合金具１４によって前扉４の後戸車用ブラケット７ｂと固定する。
固定金具１３は、ビスなどによって引戸枠部材２に固定する台座部分１３ａと、該台座部分１３ａにボルト等の固着手段で連動ベルト１２を挟み込んで固定する押圧部材１３ｂとからなる。この固定金具１３は、戸袋３入口の方立２ａに取り付けることが好ましく、これにより点検カバーを開けることにより、容易に連動ベルト１２の保守交換作業を行うことができる。
接合金具１４は、連動ベルト１２と前扉４を連結するもので、前扉４の後戸車用ブラケット７ｂの適所に配設する。接合金具１４は、固定金具１３と同様の機能を有し、前扉４の後戸車用ブラケット７ｂに固定する台座部分１４ａと、該台座部分１４ａにボルト等の固着手段で連動ベルト１２を挟み込んで固定する押圧部材１４ｂとからなる。
この固定金具１３と接合金具１４により、連動ベルトを、それぞれ引戸枠部材２（戸袋３入口の方立２ａ）と、前扉４（前扉４の後戸車用ブラケット７ｂ）の２箇所に固定することによって、後扉５は、従来例と同様、前扉４の移動距離に対して半分の距離だけ移動するようになる。
【００１８】
しかして、本発明の引戸装置１の組立方法は、図２〜４に示すように、前扉４の後戸車用ブラケット７ｂを後扉５の上骨５ｃに設けたスリットＮに嵌入し、後扉５の前後の戸車５ａ、５ｂと前扉４の後戸車４ｂとを走行用レール６に載置し、後扉５の前後のブラケット８ａ、８ｂに配設した連動プーリ１１ａ、１１ｂ間に連動ベルト１２を係回する。
そして、戸袋３入口の方立２ａに連動ベルト１２を固定金具１３で固定し、前記前扉４の後戸車用ブラケット７ｂと連動ベルト１２を接合金具１４で接合した後、スリットＮを通って挿入された前記後戸車用ブラケット７ｂの下端部に形成された接合用孔Ｈが、後扉５の上部側面戸先側の開口部分Ｍに位置するようにしておき、前扉４の後戸車用ブラケット７ｂを後扉５の前記開口部分Ｍに合致するところまで前扉４を後扉５内に進入した状態で停止させる。しかる後、後扉５の前記開口部分Ｍを通して固着手段Ｂ及びその操作工具を挿入し、後扉５の上骨５ｃ内で前扉４の後戸車用ブラケット７ｂと前扉４の戸尻側に配設したフランジ９とを固着手段Ｂによって固着するようする。
なお、前扉４の戸尻側上面に形成されたフランジ９を後扉５の開口部分Ｍに合致させるための前扉４の傾動操作としては、扉面に吸盤工具を装着し、該工具を介して戸尻側を引き上げるようにすればよく、これにより前戸車だけで吊られている状態の前扉４を容易に傾動することができる。
【００１９】
上記構成において、前扉４を開放方向に移動させると、後扉５はその移行距離の半分だけ移動し、両扉は連動して開閉される。
【００２０】
以上、本発明の引戸装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２１】
本発明の引戸装置は、前扉と後扉の開閉を連動させる連動装置の両連動プーリを後扉の上部側面に配設し、連動条体の垂れ下がりによる条体外れを防止することができるという特性を有していることから、前扉を後扉に収納する収納型引戸装置に用いることができる他、前後の扉を並設するタイプの２連式引戸装置にも適用することができる。
【図面の簡単な説明】
【００２２】
【図１】本発明の引戸装置の一実施例を示す一部切り欠き正面図である。
【図２】図１のＸ−Ｘ線に沿う一部切り欠き断面図である。
【図３】図１のＰ−Ｐ線に沿う一部切り欠き断面図である。
【図４】同引戸装置の組立方法を示す一部切り欠きの断面図で、（ａ）は、後扉を引戸枠部材に組み込んだところを、（ｂ）は前扉の状態を、（ｃ）は、（ａ）のＹ−Ｙ断面図を、（ｄ）は、前扉と後扉を接合したところを示す。
【図５】従来の引戸装置を示す一部断面の正面図である。
【図６】従来の引戸装置の開閉要領を示す平面図で、（ａ）は引戸の閉鎖状態を、（ｂ）は引戸の開放状態をそれぞれ示す。
【符号の説明】
【００２３】
１    引戸装置
２    引戸枠部材
２ａ  方立
３    戸袋
４    前扉
５    後扉
１０  連動装置
１１ａ  連動プーリ
１１ｂ  連動プーリ
１２  連動条体
１３  固定金具
１４  接合金具
１５  回動軸
【図１】
2007107260.tif 000003
【図２】
2007107260.tif 000004
【図３】
2007107260.tif 000005
【図４】
2007107260.tif 000006
【図５】
2007107260.tif 000007
【図６】
2007107260.tif 000008